(57)【要約】【課題】不正防止効果の向上が図られた制御基板ケースを提供するとともに、この制御基板ケースを備える遊技機を提供する。【解決手段】スロットマシン１の筐体２の内部に固定され、その内部の収納空間にメイン制御基板７を収納するメイン制御基板ケース９は、ベース体１１とカバー体１２とに分割されて成り、メイン制御基板７を収納した状態でベース体１１とカバー体１２とを封印する封印機構１００と、ベース体１１に設けられた複数のベース側被破壊部１５ａ１〜１５ａ７と、カバー体１２に設けられた複数のカバー側被破壊部１５ｂ１〜１５ｂ７とを備え、予め定められた特定のベース側被破壊部１５ａ２と、予め定められた特定のカバー側被破壊部１５ｂ２とを破壊することにより、ベース体１１とカバー体１２との組み合わせが正規なものであるか否かを識別可能に構成されている。【選択図】図３
2015083088.tif 000002
【特許請求の範囲】
【請求項１】
ベース体とカバー体とに分割され、その内部に制御基板を収納する収納空間を有する制御基板ケースにおいて、
前記制御基板を収納した状態で前記ベース体と前記カバー体とを封印する封印手段と、
前記ベース体に設けられた複数のベース側被破壊部と、
前記カバー体に設けられた複数のカバー側被破壊部とを備え、
前記複数のベース側被破壊部のうちの予め定められた特定の前記ベース側被破壊部と、前記複数のカバー側被破壊部のうちの予め定められた特定の前記カバー側被破壊部とを破壊することにより、前記ベース体と前記カバー体との組み合わせが正規なものであるか否かを識別可能に構成されていることを特徴とする制御基板ケース。
【請求項２】
前記請求項１に記載の制御基板ケースを備える遊技機であって、
前方側が開放されてその内部の所定位置に前記制御基板ケースが配設された筐体と、
前記筐体の開放部分を開閉自在に閉塞する前扉とを備え、
前記前扉の開状態において、前記制御基板ケースの前記各ベース側被破壊部および前記各カバー側被破壊部それぞれが、前記制御基板ケースの前記筐体の前方側から視認可能な部分に配置されていることを特徴とする遊技機。
【請求項３】
前記各ベース側被破壊部のうちの少なくとも１つが、破壊容易な所定形状で前記ベース体の外側面に突出形成されるとともに、前記各カバー側被破壊部のうちの少なくとも１つが、破壊容易な所定形状で前記カバー体の外側面に突出形成されていることを特徴とする請求項２に記載の遊技機。
【請求項４】
前記各ベース側被破壊部のうちの少なくとも１つの厚みが、前記ベース体の他の部分よりも薄く形成されるとともに、前記各カバー側被破壊部のうちの少なくとも１つの厚みが、前記カバー体の他の部分の厚みよりも薄く形成されていることを特徴とする請求項２または３に記載の遊技機。
【発明の詳細な説明】
【技術分野】
【０００１】
本発明は、内部の収納空間に制御基板を収納する制御基板ケースおよびこの制御基板ケースを備える遊技機に関する。
【背景技術】
【０００２】
パチンコ機やスロット機等の遊技機の制御基板は、不正防止の観点から透明な樹脂製基板ケースの内部に収納されて、遊技機の内部に配設されるのが一般的である。この種の制御基板ケースは、通常、一組のベース部材とカバー部材とで構成され、内部に制御基板を収納した状態で、両部材同士をねじやかしめ等により強固に連結するとともに、両部材同士の連結が不正に解除された場合には、その痕跡が残るような封印機構が設けられたものが広く採用されている。
【０００３】
例えば、特許文献１に記載の制御基板ケースの封印機構は、ベース部材とカバー部材とをビスで連結するものであり、このビスに、緊締方向へのみ螺回操作可能な所謂ワンウェイビスが使用されている。この封印機構によると、一旦連結されたベース部材とカバー部材とを分離するのに、両部材のいずれか一方を破壊しなければならないため、例えば、正規の制御基板が不正基板に取り替えられた場合は、ケースの破壊状態を確認することで、直ちに不正行為を検知することができる。
【先行技術文献】
【特許文献】
【０００４】
【特許文献１】特開平１０−３２８３８５号公報（段落００１８〜００２５、図５等参照）
【発明の概要】
【発明が解決しようとする課題】
【０００５】
しかしながら、上記した従来の制御基板ケースでは、制御基板ケースの破壊状態を視認することで、不正行為の有無を判断することになる。したがって、例えば、二組の制御基板ケースを使用して、一方はベース部材側のみを破壊し、他方はカバー部材のみを破壊して、破壊されていない両部材同士を組み合わせて新たな制御基板ケースを複製するような巧妙な不正行為によれば、正規の制御基板から不正な制御基板に入れ替えられた場合であっても、その痕跡の発見が困難になり、被害が拡大するおそれがある。
【０００６】
本発明は、上記課題に鑑みてなされたものであり、不正防止効果の向上が図られた制御基板ケースを提供するとともに、この制御基板ケースを備える遊技機を提供することを目的とする。
【課題を解決するための手段】
【０００７】
上記目的を達成するために、本発明にかかる制御基板ケースは、ベース体とカバー体とに分割され、その内部に制御基板を収納する収納空間を有する制御基板ケースにおいて、前記制御基板を収納した状態で前記ベース体と前記カバー体とを封印する封印手段と、前記ベース体に設けられた複数のベース側被破壊部と、前記カバー体に設けられた複数のカバー側被破壊部とを備え、前記複数のベース側被破壊部のうちの予め定められた特定の前記ベース側被破壊部と、前記複数のカバー側被破壊部のうちの予め定められた特定の前記カバー側被破壊部とを破壊することにより、前記ベース体と前記カバー体との組み合わせが正規なものであるか否かを識別可能に構成されていることを特徴としている（請求項１）。  
【０００８】
また、本発明にかかる遊技機は、上記した制御基板ケースを備える遊技機であって、前方側が開放されてその内部の所定位置に前記制御基板ケースが配設された筐体と、前記筐体の開放部分を開閉自在に閉塞する前扉とを備え、前記前扉の開状態において、前記制御基板ケースの前記各ベース側被破壊部および前記各カバー側被破壊部それぞれが、前記制御基板ケースの前記筐体の前方側から視認可能な部分に配置されていることを特徴としている（請求項２）。
【０００９】
また、前記各ベース側被破壊部のうちの少なくとも１つが、破壊容易な所定形状で前記ベース体の外側面に突出形成されるとともに、前記各カバー側被破壊部のうちの少なくとも１つが、破壊容易な所定形状で前記カバー体の外側面に突出形成されていてもよい（請求項３）。
【００１０】
また、前記各ベース側被破壊部のうちの少なくとも１つの厚みが、前記ベース体の他の部分よりも薄く形成されるとともに、前記各カバー側被破壊部のうちの少なくとも１つの厚みが、前記カバー体の他の部分の厚みよりも薄く形成されていてもよい（請求項４）。
【発明の効果】
【００１１】
請求項１に係る発明によれば、制御基板ケースは、ベース体に複数のベース側被破壊部が設けられるとともに、カバー体に複数のカバー側被破壊部が設けられる。したがって、各ベース側被破壊部のうちの予め定められた特定のベース側被破壊部と、各カバー側被破壊部のうちの予め定められた特定のカバー側被破壊部とを破壊することで、ベース体とカバー体との組み合わせが正規なものであるか否かを識別することができる。
【００１２】
また、制御基板ケース毎にベース側被破壊部およびカバー側被破壊部の破壊箇所の組み合わせを変えておくと、例えば、二組の制御基板ケースを使用して、一方はベース体側のみを破壊し、他方はカバー体側のみを破壊して、破壊されていないベース体およびカバー体同士を組み合わせて新たな制御基板ケースを作っても、両被破壊部の破壊箇所の組み合わせが当初の制御基板ケースのものと異なる。したがって、制御基板ケースの複製が困難になり、二組の制御基板ケースを使用する新たな制御基板ケースを複製する巧妙な不正行為を防止することができる。
【００１３】
請求項２に係る発明によれば、遊技機の筐体の開放部分を開閉可能に閉塞する前扉が開けられた状態で、制御基板ケースの各ベース側被破壊部および各カバー側被破壊部それぞれが、制御基板ケースにおける筐体の前方側から視認可能な部分に配置されている。このようにすると、各ベース側被破壊部および各カバー側被破壊部の目視確認を容易に行うことができるため、不正行為の早期発見に繋がる。
【００１４】
請求項３に係る発明によれば、各ベース側被破壊部のうちの少なくとも１つが、破壊容易な所定形状でベース体の外側面に突出形成されるとともに、各カバー側被破壊部のうちの少なくとも１つが、破壊容易な所定形状でカバー体の外側面に突出形成される。このようにすると、突出形成されたベース側被破壊部およびカバー側被破壊部を、例えば、カッターやニッパなどの工具を用いて破壊することで、制御基板ケースの個体識別が可能になる。
【００１５】
請求項４に係る発明によれば、各ベース側被破壊部のうちの少なくとも１つの厚みが、ベース体の他の部分よりも薄く形成されるとともに、各カバー側被破壊部のうちの少なくとも１つの厚みが、カバー体の他の部分の厚みよりも薄く形成される。このようにすると、その厚みが薄く形成された被破壊部に穴を空けて破壊することで、制御基板ケースの個体識別が可能になる。
【図面の簡単な説明】
【００１６】
【図１】本発明が適用されるスロットマシンの前扉を開放した状態の斜視図である。
【図２】本発明に係るメイン制御基板ケースの斜視図である。
【図３】図２のメイン制御基板ケースの分解斜視図である。
【図４】ベース体の右側面図である。
【図５】ベース体の平面図である。
【図６】カバー体の右側面図である。
【図７】ケースホルダの斜視図である。
【図８】ロック部材の斜視図である。
【図９】特定のベース側被破壊部および特定のカバー側被破壊部を破壊した状態のメイン制御基板ケースの斜視図である。
【図１０】本発明の第２実施形態にかかるメイン制御基板ケースの斜視図である。
【図１１】図１０のＡ−Ａ矢視断面拡大図である。
【発明を実施するための形態】
【００１７】
＜第１実施形態＞
本発明が適用される遊技機の一例であるスロットマシン１の概略構成について、図１を参照して説明する。なお、図１はスロットマシン１の前扉を開放した状態の斜視図である。
【００１８】
（スロットマシンの構成）
スロットマシン１は、図１に示すように、上方に配置された天板２ａと、下方に配置された底板２ｂと、左側に配置された左側板２ｃと、右側に配置された右側板２ｄと、背面側に配置された背板２ｅとで構成され前方側が開放された四角箱型の筐体２を備え、この筐体２の開放部分を閉塞する前扉３が、開閉自在に筐体２に取り付けられている。
【００１９】
また、筐体２の内部には、３つのリールである右リール４Ｒ、中リール４Ｍ、左リール４Ｌ）が並設されてなるリール装置４や、遊技者により外部から投入されたメダルをスロットマシン１の内部に貯留するとともに、貯留したメダルをメダル受け皿２２に払い出すためのホッパー装置５や、これらの装置４，５、メイン制御基板７、サブ制御基板８などに電源を供給するための電源装置６が設けられている。
【００２０】
また、前扉３の略中央には、図柄表示窓３ａが設けられており、各リール４Ｒ，４Ｍ，４Ｌの周面に付されている図柄の一部を表示可能に形成されている。
【００２１】
また、その内部の収納空間にメイン制御基板７を収納したメイン制御基板ケース９が、背板２ｅの内側面の上部に固定されるとともに、その内部の収納空間にサブ制御基板８を収納したサブ制御基板ケース１０が左側板２ｃの内側面の上部に固定される。なお、メイン制御基板ケース９が本発明の「制御基板ケース」に相当し、詳細については後述する。
【００２２】
メイン制御基板７およびサブ制御基板８それぞれは、その主面にＣＰＵやＲＯＭ、ＲＡＭ等のチップ部品が実装され、スロットマシン１の遊技の進行に必要な各種装置の制御を分担して司るものである。具体的には、リール装置４に対する各リール４Ｒ，４Ｍ，４Ｌの回転・停止の指示や、ホッパー装置５に対するメダルの払出の開始・停止の指示など、遊技の主たる制御をメイン制御基板７が司り、基板音声出力装置（図示せず）や映像表示装置（図示せず）による演出など、遊技の従たる制御をサブ制御基板８が司る。
【００２３】
（メイン制御基板ケース）
次に、メイン制御基板ケース９について、図２〜図９を参照して説明する。なお、図２はメイン制御基板ケース９の斜視図、図３はメイン制御基板７を含むメイン制御基板ケース９の分解斜視図、図４はベース体１１の右側面、図５はベース体１１の平面図、図６はカバー体１２の右側面図、図７はケースホルダ６０の斜視図、図８はロック部材５００の斜視図、図９は特定のベース側被破壊部１５ａ２およびカバー側被破壊部１５ｂ２を破壊した状態のメイン制御基板ケース９の斜視図である。
【００２４】
メイン制御基板ケース９は、図２および図３に示すように、いずれも透明樹脂製のベース体１１とカバー体１２に分割され、メイン制御基板ケース９内にメイン制御基板７が収納された後、封印機構１００（本発明の「封印手段」に相当し、詳細については後述する。）によって封印される。ここで、メイン制御基板ケース９は、図２に示すように、その内部にメイン制御基板７を収納するための収納空間を有する基板収納部９ａと、該基板収納部９ａの右側に隣接して設けられた封印部９ｂとを備え、上記した封印機構１００が封印部９ｂに形成される。なお、ベース体１１およびカバー体１２それぞれを形成する材料として、アクリロニトリル、ブタジエン、スチレンの共重合合成樹脂であるＡＢＳ樹脂やポリカーボネート等の透明樹脂を用いることができる。
【００２５】
ベース体１１は、図３に示すように、上方側が開放された箱状に形成されており、その底壁１１ａの内面には、メイン制御基板７を固定するための筒状のねじ受け部１３が立設されている。また、後側壁１１ｂの外面には板状のフランジ部１４が突出形成され、このフランジ部１４に後述する複数（この実施形態では７つ）のベース側被破壊部１５ａ１〜１５ａ７が形成される。
【００２６】
メイン制御基板７は、例えば、プリント基板で形成されており、ベース体１１のねじ受け部１３などにより図示省略のねじ等で固定される。なお、メイン制御基板７の一方主面には、外部接続用の複数のコネクタ７ａが実装されるとともに、図示省略のＣＰＵ、ＲＯＭ、ＲＡＭ等のチップ部品が実装されている。
【００２７】
カバー体１２の上壁１２ａには、後述する複数（この実施形態では７つ）のカバー側被破壊部１５ｂ１〜１５ｂ７が設けられる。さらに、メイン制御基板７に実装された各コネクタ７ａが挿通する複数の挿通孔１６が、それぞれベース体１１に固定状態の各コネクタ７ａに対応する位置に設けられ、ベース体１１およびカバー体１２の装着（封印）状態で外部のコネクタを抜き差し可能に構成されている。
【００２８】
また、メイン制御基板ケース９の封印部９ｂには、上記したように、封印機構１００が設けられ、これによりメイン制御基板ケース９が封印機構１００を備える構成になっている。この封印機構１００は、メイン制御基板７を収納した状態で、ベース体１１とカバー体１２とを強固に連結し、ベース体１１およびカバー体１２のうちの少なくとも一方を破壊しなければメイン制御基板ケース９を開けることができず、さらに、封印状態が解除された場合はその痕跡が残るように構成されている。
【００２９】
この封印機構１００は、ベース体１１の右側壁１１ｃに透設された嵌入孔１１１〜１１６（図４参照）と、カバー体１２の右側壁１２ｂに当接された係合孔２２１〜２２６（図６参照）と、合成樹脂によりロックピン１５１〜１５６が一体形成されたロック部材５００（図２参照）とを備えている。
【００３０】
具体的には、図３および図４に示すように、ベース体１１の右側壁１１ｃには嵌入孔１１１〜１１６が透設される。また、右側壁１１ｃの外面には、各嵌入孔１１１〜１１６を囲むように、断面が円形と矩形とを合成した鍵穴のような形状の嵌入筒１２１〜１２６がそれぞれ設けられる。
【００３１】
ロック部材５００は、図８に示すように、各ロックピン１５１〜１５６が可撓性の連結部材１９によりそれぞれ棒状のロック本体１７に並んで連結されるとともに、このロック本体１７から平板状の挿入片１７１〜１７５がそれぞれ突設されて成る。この挿入片１７１〜１７５は、図４に示すベース体１１の右側壁１１ｃの下部に形成された各間隙３１１〜３１５からそれぞれ挿入され、右側壁１１ｃのすぐ内側の底面に形成されたロック受け部３２１〜３２５（図５参照）に載せられる。そして、挿入片１７２，１７４それぞれに穿設された貫通孔１８にロック受け部３２２，３２４それぞれに突設された凸部３３１，３３２（図５参照）が嵌入した状態で、該凸部３３１，３３２が加熱溶融されることで、ロック部材５００がベース体１１に固着される。なお、この実施形態では、ロック部材５００を形成する合成樹脂として、人間の眼に目立つ色（この実施形態では濃い赤色）に着色されたポリプロピレン（ＰＰ）が用いられている。
【００３２】
また、各ロックピン１５１〜１５６は、それぞれ、根元に形成された嵌入部５０ａと、その先端に平面視矢印状に形成された係止部５０ｂと、これらを繋ぐ中央部分に形成された軸状の接続部５０ｃとを備えている。
【００３３】
一方、カバー体１２の右側壁１２ｂは、図６に示すように、係合孔２２１が透設された板状体２１１と、係合孔２２２〜２２５が透設された板状体２１２と、係合孔２２６が透設された板状体２１３とからなる。板状体２１１と、板状体２１２と、板状体２１３とは、互いに分離して設けられている。
【００３４】
このとき、ベース体１１にカバー体１２を装着した際、カバー体１２の右側壁１２ｂがベース体１１の右側壁１１ｃ（図３、図４参照）の内側に隙間を介して位置するように、ベース体１１およびカバー体１２の寸法設定がなされ、配置されている。さらに、カバー体１２をベース体１１に装着した状態で、各係合孔２２１〜２２６それぞれの中心軸は、ベース体１１の対応する嵌入孔１１１〜１１６（図４参照）の中心軸と一致するように形成されている。
【００３５】
また、図３に示すように、カバー体１２の上壁１２ａには、ロックピン１５１〜１５６を途中の接続部５０ｃ（図８参照）で切断するニッパなどの切断工具を差し込むための矩形の差込口２３１〜２３６が形成されている。この差込口２３１〜２３６は、係合孔２２１〜２２６（図６参照）に対応する位置にそれぞれ設けられている。
【００３６】
また、差込口２３１〜２３６には、カバー体１２の上壁１２ａと同一平面上に配置された透明な板状の破断部２４１〜２４６がそれぞれ設けられている。この破断部２４１〜２４６は、差込口２３１〜２３６よりも少し小さい矩形で、差込口２３１〜２３６をほぼ閉塞するようにそれぞれ設けられる。また、破断部２４１〜２４６は、それぞれ細かく形成された接続部２９ａを介してカバー体１２の上壁１２ａと一体形成されており、これによって容易に破断可能に構成されている。
【００３７】
ところで、メイン制御基板ケース９は、ケースホルダ６０によって筐体２（図１参照）に固定される。このケースホルダ６０は、図７に示すように、底板６０ａと、この底板６０ａにそれぞれ立設された立板６０ｂ，６０ｃとを有する側面視Ｌ字形状の板状体である。底板６０ａは、ねじなどの固定手段（図示省略）により筐体２に固定される。また、立板６０ｂ，６０ｃには、挿通用透孔６０１〜６０４が透設されている。この挿通用透孔６０１〜６０４は、カバー体１２の右側壁１２ｂの透設された係合孔２２２〜２２５（図６参照）とほぼ同じ大きさである。一方、図５に示すように、ベース体１１のロック受け部３２１〜３２５のすぐ内側には、立板６０ｂ，６０ｃの断面形状よりも多少大きい挿入部１１ｄ，１１ｅが設けられている。そして、メイン制御基板ケース９をケースホルダ６０に取り付けるときに、ケースホルダ６０の立板６０ｂ，６０ｃを挿入部１１ｄ，１１ｅに挿入すると、立板６０ｂ，６０ｃが嵌挿されて挿通用透孔６０１〜６０４の中心軸がカバー体１２の係合孔２２２〜２２５の中心軸と一致するように形成されている。
【００３８】
以上のように構成された封印機構１００では、例えば、図２に示すロックピン１５１〜１５６のうち、両端のロックピン１５１，１５６のいずれか一方を対応するベース体１１の嵌入孔１１１，１１６（図４参照）およびカバー体１２の係合孔２２１,２２６（図６参照）に挿入・嵌入することで、ロックピン１５１，１５６の裾広がりの係止部５０ｂ（図８参照）が係合孔２２１，２２６に係止されてメイン制御基板ケース９が封印される。また、両端のロックピン１５１，１５６に挟まれたロックピン１５２〜１５５のうちのいずれか１つを、対応するベース体１１の嵌入孔１１２〜１１５、カバー体１２の係合孔２２２〜２２５、ケースホルダ６０の挿通用透孔６０１〜６０４に挿入・嵌入することで、ロックピン１５２〜１５５の裾広がりの係止部５０ｂが挿通用透孔６０１〜６０４に係止されてメイン制御基板ケース９を封印しつつ、このメイン制御基板ケース９が筐体２（図１参照）に固定される。
【００３９】
そして、このような封印機構１００による封印状態を解除するためには、例えば、カバー体１２の破断部２４１〜２４６、あるいは、ベース体１１における前記破断部２４１〜２４６に対向する部位を破断させてロックピン１５１〜１５６を切断する必要がある。つまり、封印状態の解除には、ベース体１１およびカバー体１２のどちらか一方を破壊する必要があり、不正行為があった場合には、その痕跡が残るように構成されている。さらに、ベース体１１、および、破断部２４１〜２４６を含むカバー体１２がそれぞれ透明樹脂製のため、嵌入孔１１１〜１１６および係合孔２２１〜２２６に挿入・嵌入しているロックピン１５１〜１５６をはっきりと視認することができる。したがって、ロックピン１５１〜１５６が外部から切断された場合には、その痕跡を明確に把握することができ、不正行為を早期に発見することができる。なお、上記した封印機構１００は一例であり、例えば、ねじによりベース体１１とカバー体１２とを強固に連結するとともに、この連結が不正に解除された場合には、その痕跡が残るような封印機構をメイン制御基板ケース９の封印部９ｂに設ける構成であってもかまわない。
【００４０】
ここで、メイン制御基板ケース７をパチンコホールに設置する際の封印プロセスの一例を説明する。まず、当初内蔵されているメイン制御基板７上の正規のＲＯＭを取り外して不正な変造ＲＯＭが取り付けられるのを防止するために、例えば、図２に示す、一方の端に位置するロックピン１５１（１番目のロックピン）をベース体１１の嵌入孔１１１（図４参照）、カバー体１２の係合孔２２１（図６参照）に挿入・嵌入し、正規のメイン制御基板７を収納した状態のメイン制御基板ケース９を封印する。続いてこの状態でメイン制御基板ケース９をパチンコホールに搬入する。パチンコホールでは、２番目のロックピンとして、１番目のロックピン１５１の隣のロックピン１５２をベース体１１の嵌入孔１１２、カバー体１２の係合孔２２２、ケースホルダ６０の挿通用透孔６０１（図７参照）に挿入・嵌入し、これにより、メイン制御基板ケース９が筐体２の所定位置に固定されたケースホルダ６０に固定され、封印状態のメイン制御基板ケース９がケースホルダ６０を介して筐体２（図１参照）内部の所定位置に設置される。
【００４１】
そして、監督機関が変造ＲＯＭを取り締まるために、パチンコホールにおいてチェックする際には、カバー体１２の上壁１２ａの接続部２９ａを切断することにより、破断部２４１および破断部２４２をカバー体１２の上壁１２ａから破断し、ニッパなどの切断工具を差込口２３１および差込口２３２から差し込んで１番目のロックピン１５１および２番目のロックピン１５２の接続部５０ｃを切断することで封印を解除する。切断された各ロックピン１５１，１５２の係止部５０ｂをケースホルダ６０の挿通用透孔６０１とカバー体１２の係合孔２２１，２２２とから除去すると、メイン制御基板ケース９がケースホルダ６０から取り外し可能になるとともに、カバー体１２をベース体１１から取り外してメイン制御基板ケース９が開放可能な状態になる。
【００４２】
さらにチェックが終了すると、３番目のロックピンとして第２のロックピン１５２の隣のロックピン１５３をベース体１２の嵌入孔１１３、カバー体１２の係合孔２２３、ケースホルダ６０の挿通用透孔６０２に挿入・嵌入することで、メイン制御基板ケース９が封印された状態でケースホルダ６０に固定される。以後、このような監督機関による変造ＲＯＭの取り締まりごとに、４番目ないし５番目のロックピン１５４，１５５によりメイン制御基板ケース９が順次封印されるとともにホルダ６０を介して筐体２に固定される。
【００４３】
そして、メイン制御基板７をメイン制御基板ケース９ごと回収する際には、破断部２４５をカバー体１２の上壁１２ａから除去して、切断工具を差込口２３５から差し込んで５番目のロックピン１５５の接続部５０ｃを切断することで封印を解除する。そして、メイン制御基板ケース９を筐体２内部から取り出した後、残りの６番目のロックピン１５６をベース体１１の嵌入孔１１６、カバー体１２の係合孔２２６に挿入・嵌入してメイン制御基板ケース９を封印し、その封印状態のまま搬送して回収する。
【００４４】
以上のように、この実施形態のメイン制御基板ケース９では、上記した封印機構１００を設けることで、不正行為を早期に発見することができるように構成されている。しかしながら、例えば、２つのメイン制御基板ケース９を使用して、一方はベース体１１のみを破壊し、他方はカバー体１２のみを破壊して、破壊されていないもの同士を組み合わせて新たなメイン制御基板ケース９を複製するような巧妙な不正行為によれば、正規のメイン制御基板７から不正な制御基板に入れ替えられた場合であっても、その痕跡の発見が困難になる。
【００４５】
そこで、この実施形態では、ベース体１１に複数のベース側被破壊部１５ａ１〜１５ａ７が設けられるとともに、カバー体１２に複数のカバー側被破壊部１５ｂ１〜１５ｂ７が設けられている。そして、各ベース側被破壊部１５ａ１〜１５ａ７のうちの予め定められた特定のベース側被破壊部１５ａ１〜１５ａ７と、各カバー側被破壊部１５ｂ１〜１５ｂ７のうちの予め定められた特定のカバー側被破壊部１５ｂ１〜１５ｂ７とを破壊することにより、ベース体１１とカバー体１２との組み合わせが正規なものであるか否かを識別可能に構成されている。
【００４６】
具体的には、図３に示すように、それぞれ略円柱状（本発明の「所定形状」に相当）各ベース側被破壊部１５ａ１〜１５ａ７が、ベース体１１の外側面の一部となるベース体１１のフランジ部１４の上面に１列に並んでそれぞれ突出形成される。このフランジ部１４は、カバー体１２をベース体１１に装着した際、カバー体１２の上壁１２ａの外面とフランジ部１４の上面とが略同一平面上に配置されるように、ベース体１１の後側壁１１ｂの上部の外面に突出形成されている。
【００４７】
一方、各カバー側被破壊部１５ｂ１〜１５ｂ７も、図２に示すように、各ベース側被破壊部１５ａ１〜１５ａ７と同様の円柱状であり、カバー体１２の上壁１２ａの外面であって、ベース体１１のフランジ部１４との隣接領域（カバー体１２の外側面の一部領域）に１列に並んでそれぞれ突出形成されている。このとき、各カバー側被破壊部１５ｂ１〜１５ｂ７の配列方向は、各ベース側被破壊部１５ａ１〜１５ａ７の配列方向と略平行であり、各ベース側被破壊部１５ａ１〜１５ａ７と各カバー側被破壊部１５ｂ１〜１５ｂ７同士が向かい合って対を成すように配置される。また、各ベース側被破壊部１５ａ１〜１５ａ７および各カバー側被破壊部１５ｂ１〜１５ｂ７の破断強度は、ニッパなどの切断工具や手（指）などを使用して容易に切断（破壊）することができるように設定されている。なお、各ベース側被破壊部１５ａ１〜１５ａ７および各カバー側被破壊部１５ｂ１〜１５ｂ７それぞれの形状は、上記した円柱状に限らず、例えば、板状など、メイン制御基板ケース９の外側面から突出形成されるものであって破壊容易な形状であれば、適宜、変更可能である。
【００４８】
また、上記したように、メイン制御基板ケース９は、筐体２の背板２ｅの内側面の上部に、ケースホルダ６０を介して固定されるが、その際、カバー体１２の上壁１２ａが前方側に向くように固定される。換言すれば、筐体２の前扉３を開けた状態で、メイン制御基板ケース９における筐体２の前方側から視認可能な部分に、各ベース側被破壊部１５ａ１〜１５ａ７および各カバー側被破壊部１５ｂ１〜１５ｂ７が配置される。
【００４９】
このように構成された各ベース側被破壊部１５ａ１〜１５ａ７および各カバー側被破壊部１５ｂ１〜１５ｂ７は、ベース体１１とカバー体１２との組み合わせが正規なものであるか否かを識別するために利用される。
【００５０】
具体的には、図９に示すように、例えば、メイン制御基板ケース９の封印前、あるいは、封印後に、ベース側被破壊部１５ａ２（本発明の「特定のベース側被破壊部」に相当）と、このベース側被破壊部１５ａ２に対向配置されたカバー側被破壊部１５ｂ２（本発明の「特定のカバー側被破壊部」に相当）とをニッパなどの切断工具を用いて切断して破壊する。また、他のメイン制御基板ケースでは、これとは異なる箇所のベース側被破壊部およびカバー側被破壊部を切断する。なお、上記した各ベース側被破壊部１５ａ１〜１５ａ７および各カバー側被破壊部１５ｂ１〜１５ｂ７の破壊箇所の組み合わせは一例であり、その個数、箇所は、各ベース側被破壊部１５ａ１〜１５ａ７および各カバー側被破壊部１５ｂ１〜１５ｂ７それぞれで、適宜変更可能である。
【００５１】
したがって、上記した実施形態によれば、ベース体１１に複数のベース側被破壊部１５ａ１〜１５ａ７が設けられるとともに、カバー体１２に複数のカバー側被破壊部１５ｂ１〜１５ｂ７が設けられる。したがって、各ベース側被破壊部１５ａ１〜１５ａ７のうちの予め定められた特定のベース側被破壊部１５ａ２と、各カバー側被破壊部１５ｂ１〜１５ｂ７のうちの予め定められた特定のカバー側被破壊部１５ｂ２とを破壊することで、ベース体１１とカバー体１２との組み合わせが正規なものであるか否かの識別、つまり、メイン制御基板ケース９の個体識別を行うことができる。
【００５２】
また、メイン制御基板ケース９毎に各ベース側被破壊部１５ａ１〜１５ａ７および各カバー側被破壊部１５ｂ１〜１５ｂ７の破壊箇所の組み合わせを変えておくことにより、例えば、二組のメイン制御基板ケース９を使用して、一方はベース体１１側のみを破壊し、他方はカバー体１２側のみを破壊して、破壊されていないベース体１１およびカバー体１３同士を組み合わせて新たなメイン制御基板ケース９を作っても、両被破壊部１５ａ１〜１５ａ７，１５ｂ１〜１５ｂ７の破壊箇所の組み合わせが当初のメイン制御基板ケース９のものと異なる。したがって、メイン制御基板ケース９の複製が困難になり、二組のメイン制御基板ケース９を使用する巧妙な不正行為を防止することができる。
【００５３】
また、この実施形態では、筐体２の前扉３が開けられた状態で、メイン制御基板ケース９の各ベース側被破壊部１５ａ１〜１５ａ７および各カバー側被破壊部１５ｂ１〜１５ｂ７それぞれが、メイン制御基板ケース９における筐体２の前方側から視認し易い部分に配置されている。具体的には、この実施形態では、前扉３を開放して前方側からメイン制御基板ケース９を視認する際、筐体２の内部に配設されたリール装置４、ホッパー装置５、電源装置６等の各種装置がその視認の妨げとならない場所である、背板２ｅの上部にメイン制御基板ケース９が固定される。さらに、カバー体１２の上壁１２ａが前方側に向くように、メイン制御基板ケース９が固定されることで、各ベース側被破壊部１５ａ１〜１５ａ７および各カバー側被破壊部１５ｂ１〜１５ｂ７それぞれが、固定状態のメイン制御基板ケース９の前方側に配置される。このようにすると、各ベース側被破壊部１５ａ１〜１５ａ７および各カバー側被破壊部１５ｂ１〜１５ｂ７の目視確認を容易に行うことができるため、不正行為の早期発見に繋がる。
【００５４】
＜第２実施形態＞
本発明の第２実施形態にかかるメイン制御基板ケース９０について、図１０および図１１を参照して説明する。なお、図１０はメイン制御基板ケース９０の斜視図、図１１は図１０のＡ−Ａ矢視断面拡大図である。
【００５５】
この実施形態にかかるメイン制御基板ケース９０が、図１〜９を参照して説明した第１実施形態のメイン制御基板ケース９と異なるところは、各ベース側被破壊部１５ｃ１〜１５ｃ７および各カバー側被破壊部１５ｄ１〜１５ｄ７の形態が異なることである。その他の構成は第１実施形態のメイン制御基板ケース９と同じであるため、同一符号を付すことにより説明を省略する。
【００５６】
この場合、図１０に示すように、ベース体１１のフランジ部１４に形成された各ベース側被破壊部１５ｃ１〜１５ｃ７、および、カバー体１２に形成された各カバー側被破壊部１５ｄ１〜１５ｄ７それぞれは、第１実施形態のメイン制御基板ケース９の各ベース側被破壊部１５ａ１〜１５ａ７および各カバー側被破壊部１５ｂ１〜１５ｂ７と略同じ位置に形成される。
【００５７】
ここで、各ベース側被破壊部１５ｃ１〜１５ｃ７それぞれは、平面視で円形状に形成されるとともに、図１１に示すように、その厚みＷ１がベース体１１の他の部分（例えば、フランジ部１４）の厚みＷ２よりも薄く形成される（Ｗ１＜Ｗ２）。この厚みＷ１は、各ベース側被破壊部１５ｃ１〜１５ｃ７を工具などを用いて容易に穴を空けることができるように設定されている。
【００５８】
また、各カバー側被破壊部１５ｄ１〜１５ｄ７も同様の構成であり、その厚みがカバー体１２の他の部分よりも薄く形成され、工具などを用いて容易に穴を空けることができるようになっている。なお、各ベース側被破壊部１５ｃ１〜１５ｃ７および各カバー側被破壊部１５ｄ１〜１５ｄ７の平面視での形状は上記した円形状に限らず、例えば、矩形状、多角形状など、適宜、変更可能である。
【００５９】
このように構成された各ベース側被破壊部１５ｃ１〜１５ｃ７および各カバー側被破壊部１５ｄ１〜１５ｄ７は、第１実施形態のメイン制御基板ケース９と同様、ベース体１１とカバー体１２との組み合わせが正規なものであるか否かを識別するために利用される。具体的には、例えば、メイン制御基板ケース９０の封印前、あるいは、封印後に、ベース側被破壊部１５ｃ２（本発明の「特定のベース側被破壊部」に相当）と、このベース側被破壊部１５ｃ２に対向配置されたカバー側被破壊部１５ｄ２（本発明の「特定のカバー側被破壊部」に相当）とを工具を用いてそれぞれ穴を空けて破壊する。また、他のメイン制御基板ケースでは、これとは異なる箇所のベース側被破壊部およびカバー側被破壊部に穴を空けて破壊する。なお、上記した各ベース側被破壊部１５ｃ１〜１５ｃ７および各カバー側被破壊部１５ｄ１〜１５ｄ７の破壊箇所の組み合わせは一例であり、その個数、箇所は、各ベース側被破壊部１５ｃ１〜１５ｃ７および各カバー側被破壊部１５ｄ１〜１５ｄ７それぞれで、適宜変更可能である。
【００６０】
以上のように、この実施形態では、特定のベース側被破壊部１５ｃ２および特定のカバー側被破壊部１５ｄ２に工具を用いて穴を空けて破壊することで、ベース体１１とカバー体１２との組み合わせが正規なものであるか否かの識別、つまり、メイン制御基板ケース９０の個体識別を行うことができるように構成されている。また、このように構成することで、第１実施形態と同様の効果を得ることができるメイン制御基板ケース９０を提供することができる。
【００６１】
なお、本発明は上記した実施形態に限定されるものではなく、その趣旨を逸脱しない限りにおいて、上記したもの以外に種々の変更を行うことが可能であり、例えば、本発明は、メイン制御基板ケース９，９０のみならず、サブ制御基板ケース１０にも適用することができる。
【００６２】
また、上記した第１実施形態では、各ベース側被破壊部１５ａ１〜１５ａ７および各カバー側被破壊部１５ｂ１〜１５ｂ７の全てが、ベース体１１またはカバー体１２の外側面から突出形成された場合について説明したが、その一部の被破壊部１５ａ１〜１５ａ７，１５ｂ１〜１５ｂ７を第２実施形態のように、他の部分よりも薄く形成する構成であってもかまわない。また、第２実施形態でも同様に、その一部の被破壊部１５ｃ１〜１５ｃ７，１５ｄ１〜１５ｄ７に、第１実施形態のベース側被破壊部１５ａ１〜１５ａ７およびカバー側被破壊部１５ｂ１〜１５ｂ７の形状を適用してもかまわない。
【００６３】
また、本発明は、スロットマシン１に限らず、パチンコ機等の種々の遊技機に適用することができる。
【符号の説明】
【００６４】
１…スロットマシン（遊技機）、２…筐体、３…前扉、７…メイン制御基板（制御基板）、９，９０…メイン制御基板ケース、１１…ベース体、１２…カバー体、１５ａ１〜１５ａ７，１５ｃ１〜１５ｃ７…ベース側被破壊部、１５ｂ１〜１５ｂ７，１５ｄ１〜１５ｄ７…カバー側被破壊部
【図１】
2015083088.tif 000003
【図２】
2015083088.tif 000004
【図３】
2015083088.tif 000005
【図４】
2015083088.tif 000006
【図５】
2015083088.tif 000007
【図６】
2015083088.tif 000008
【図７】
2015083088.tif 000009
【図８】
2015083088.tif 000010
【図９】
2015083088.tif 000011
【図１０】
2015083088.tif 000012
【図１１】
2015083088.tif 000013
【手続補正書】
【提出日】平成27年3月6日(2015.3.6)
【手続補正２】
【補正対象書類名】明細書
【補正対象項目名】０００１
【補正方法】変更
【補正の内容】
【０００１】
本発明は、内部の収納空間に制御基板を収納する制御基板ケースを備えるスロットマシンに関する。
【手続補正３】
【補正対象書類名】明細書
【補正対象項目名】０００７
【補正方法】変更
【補正の内容】
【０００７】
上記目的を達成するために、本発明にかかるスロットマシンは、上方に配置された天板と、下方に配置された底板と、左右に対向して配置された一対の側板と、背側に配置された背板と、で構成されるとともに、前方が開放された開口を有する四角箱形の筐体と、前記筐体の開口部分を開閉自在に閉塞する前扉と、前記筐体の内側に固定され、その内部に制御基板を収納する箱形の制御基板ケースと、を備えたスロットマシンであって、前記制御基板ケースは、前記側板または前記背板に固定される矩形状の底壁と、当該底壁の外周縁から前記筐体の内部空間側に立設された側壁と、当該側壁の外面から突出形成された板状のフランジ部とを有し、前記内部空間に臨む側に開口を有する箱状のベース体と、前記ベース体の開口部分を閉塞するカバー体と、前記ベース体および前記カバー体のうちの少なくとも一方を破壊しなければ前記閉塞状態を解除出来ないように封印する封印手段と、を備え、さらに、前記制御基板ケースは、前記筐体への取り付け状態において、前記フランジ部のうち、前記筐体の内部空間に臨む部位に形成された複数のベース側被破壊部と、前記ベース体と前記カバー体との境界を挟んで、前記ベース側被破壊部に向かい合うように近接し、かつ、前記筐体の内部空間に臨むように前記カバー体に形成された複数のカバー側被破壊部と、を備え、前記各ベース側被破壊部および前記各カバー側被破壊部の破壊箇所の組み合わせにより、当該制御基板ケース固有の情報を形成し、当該制御基板ケースの個体識別を行うことを特徴としている（請求項１）。
【手続補正４】
【補正対象書類名】明細書
【補正対象項目名】０００８
【補正方法】変更
【補正の内容】
【０００８】
また、前記スロットマシンは、前記筐体の内側に配置された複数のリールからなるリール装置を備え、前記制御基板ケースは、前記筐体の前記背板または前記側板の前記リール装置の上側で固定されていてもよい（請求項２）。
【手続補正５】
【補正対象書類名】明細書
【補正対象項目名】０００９
【補正方法】変更
【補正の内容】
【０００９】
また、前記各ベース側被破壊部は、前記フランジ部から前記内部空間側に向けて、破壊容易な形状を成すように突出形成されるとともに、前記各カバー側被破壊部も、前記カバー体から前記内部空間側に向けて、破壊容易な形状を成すように突出形成されていてもよい（請求項３）。
【手続補正６】
【補正対象書類名】明細書
【補正対象項目名】００１０
【補正方法】変更
【補正の内容】
【００１０】
また、前記各ベース側被破壊部は、前記フランジ部において、当該各ベース側被破壊部が形成されていない他の部分よりも薄く形成されることにより穴を空ける破壊が容易になるように形成されるとともに、前記各カバー側被破壊部も、前記カバー体において、当該各カバー側被破壊部が形成されていない他の部分よりも薄く形成されることにより穴を空ける破壊が容易になるように形成されていてもよい（請求項４）。
【手続補正７】
【補正対象書類名】明細書
【補正対象項目名】００１１
【補正方法】変更
【補正の内容】
【００１１】
請求項１に係る発明によれば、制御基板ケースは、ベース体に複数のベース側被破壊部が設けられるとともに、カバー体に複数のカバー側被破壊部が設けられる。したがって、各ベース側被破壊部および、各カバー側被破壊部の破壊箇所の組み合わせにより、当該制御基板ケース固有の情報を形成し、当該制御基板ケースの個体識別を行うことができる。
【手続補正８】
【補正対象書類名】明細書
【補正対象項目名】００１３
【補正方法】変更
【補正の内容】
【００１３】
また、制御基板ケースを筐体に取り付けた状態で、各ベース側被破壊部および各カバー側被破壊部それぞれが、筐体の内部空間に臨むようにベース体またはカバー体に形成されている。このようにすると、各ベース側被破壊部および各カバー側被破壊部の目視確認を容易に行うことができるため、不正行為の早期発見に繋がる。また、請求項２に係る発明によれば、制御基板ケースが、筐体の背板または側板のリール装置の上側で固定されるため、各ベース側被破壊部および各カバー側被破壊部の破壊箇所の組み合わせの目視確認をより容易なものとすることができる。
【手続補正９】
【補正対象書類名】明細書
【補正対象項目名】００１４
【補正方法】変更
【補正の内容】
【００１４】
請求項３に係る発明によれば、各ベース側被破壊部は、破壊容易な形状を成すようにベース体に突出形成されるとともに、各カバー側被破壊部も、破壊容易な形状を成すようにカバー体に突出形成される。このようにすると、突出形成されたベース側被破壊部およびカバー側被破壊部を、例えば、カッターやニッパなどの工具を用いて破壊することで、制御基板ケースの個体識別が可能になる。
【手続補正１０】
【補正対象書類名】明細書
【補正対象項目名】００１５
【補正方法】変更
【補正の内容】
【００１５】
請求項４に係る発明によれば、各ベース側被破壊部の厚みが、ベース体の他の部分よりも薄く形成されるとともに、各カバー側被破壊部も、カバー体の他の部分の厚みよりも薄く形成される。このようにすると、その厚みが薄く形成された被破壊部に穴を空けて破壊することで、制御基板ケースの個体識別が可能になる。
【手続補正１１】
【補正対象書類名】特許請求の範囲
【補正対象項目名】全文
【補正方法】変更
【補正の内容】
【特許請求の範囲】
【請求項１】
上方に配置された天板と、下方に配置された底板と、左右に対向して配置された一対の側板と、背側に配置された背板と、で構成されるとともに、前方が開放された開口を有する四角箱形の筐体と、
前記筐体の開口部分を開閉自在に閉塞する前扉と、
前記筐体の内側に固定され、その内部に制御基板を収納する箱形の制御基板ケースと、
を備えたスロットマシンであって、
前記制御基板ケースは、
前記側板または前記背板に固定される矩形状の底壁と、当該底壁の外周縁から前記筐体の内部空間側に立設された側壁と、当該側壁の外面から突出形成された板状のフランジ部とを有し、前記内部空間に臨む側に開口を有する箱状のベース体と、
前記ベース体の開口部分を閉塞するカバー体と、
前記ベース体および前記カバー体のうちの少なくとも一方を破壊しなければ前記閉塞状態を解除出来ないように封印する封印手段と、を備え、
さらに、前記制御基板ケースは、
前記筐体への取り付け状態において、前記フランジ部のうち、前記筐体の内部空間に臨む部位に形成された複数のベース側被破壊部と、
前記ベース体と前記カバー体との境界を挟んで、前記ベース側被破壊部に向かい合うように近接し、かつ、前記筐体の内部空間に臨むように前記カバー体に形成された複数のカバー側被破壊部と、を備え、
前記各ベース側被破壊部および前記各カバー側被破壊部の破壊箇所の組み合わせにより、当該制御基板ケース固有の情報を形成し、当該制御基板ケースの個体識別を行うことを特徴とするスロットマシン。
【請求項２】
前記スロットマシンは、前記筐体の内側に配置された複数のリールからなるリール装置を備え、
前記制御基板ケースは、前記筐体の前記背板または前記側板の前記リール装置の上側で固定されていることを特徴とする請求項１に記載のスロットマシン。
【請求項３】
前記各ベース側被破壊部は、前記フランジ部から前記内部空間側に向けて、破壊容易な形状を成すように突出形成されるとともに、前記各カバー側被破壊部も、前記カバー体から前記内部空間側に向けて、破壊容易な形状を成すように突出形成されていることを特徴とする請求項１または２に記載のスロットマシン。
【請求項４】
前記各ベース側被破壊部は、前記フランジ部において、当該各ベース側被破壊部が形成されていない他の部分よりも薄く形成されることにより穴を空ける破壊が容易になるように形成されるとともに、前記各カバー側被破壊部も、前記カバー体において、当該各カバー側被破壊部が形成されていない他の部分よりも薄く形成されることにより穴を空ける破壊が容易になるように形成されていることを特徴とする請求項１または２に記載のスロットマシン。